(57)【要約】【課題】既存の店舗、施設等のガラス面等に貼ってあるポスター等の掲示媒体に対しても、場所等の制約を受けることなく有効に活用することが可能な情報読取装置を提供する。【解決手段】本発明は、掲示媒体に掲示された掲示内容に関する関連情報を情報端末装置に対して提供する情報提供装置と通信可能な情報読取装置であって、前記掲示媒体近傍の所定面に着脱自在に固定可能な固定部と、前記情報端末装置に固有の識別情報を記憶した記憶媒体から当該識別情報を読み取るリーダ部と、前記所定面に対して少なくとも一方の側から前記リーダ部の位置を認知させるための発光体と、前記リーダ部により読み取られた前記識別情報を前記情報管理装置に送信する送信部と、を備えることを特徴とする。【選択図】図１
2007240636.tif 000002
【特許請求の範囲】
【請求項１】
掲示媒体に掲示された掲示内容に関する関連情報を情報端末装置に対して提供する情報提供装置と通信可能な情報読取装置であって、
前記掲示媒体近傍の所定面に着脱自在に固定可能な固定部と、
前記情報端末装置に固有の識別情報を記憶した記憶媒体から当該識別情報を読み取るリーダ部と、
前記所定面に対して少なくとも一方の側から前記リーダ部の位置を認知させるための発光体と、
前記リーダ部により読み取られた前記識別情報を前記情報管理装置に送信する送信部と、
を備えることを特徴とする情報読取装置。
【請求項２】
掲示媒体に掲示された掲示内容に関する関連情報を記憶するメモリと、
前記掲示媒体近傍の所定面に着脱自在に固定可能な固定部と、
固有の識別情報を記憶した情報端末装置から当該識別情報を読み取るリーダ部と、
前記所定面に対して少なくとも一方の側から前記リーダ部の位置を認知させるための発光体と、
前記リーダ部により前記識別情報が読み取られた場合に、前記メモリに記憶された関連情報を前記情報端末装置に無線送信する送信部と、
を備えることを特徴とする情報読取装置。
【請求項３】
請求項１又は２に記載の情報読取装置において、
前記固定部は、接着、粘着、圧着、又は吸着等の手段により前記所定面に固定されることを特徴とする情報読取装置。
【請求項４】
請求項１乃至３のいずれか一項に記載の情報読取装置において、
前記固定部は、前記所定面であるガラス面に固定されることを特徴とする情報読取装置。
【請求項５】
請求項４に記載の情報読取装置において、
前記固定部は、前記掲示媒体が貼り付けられるガラス面の当該掲示媒体近傍の所定位置に固定されることを特徴とする情報読取装置。
【請求項６】
請求項４又は５に記載の情報読取装置において、
前記固定部は、透光性を有する材料からなり、
前記発光体は、前記固定部及び前記ガラス面を介して前記リーダ部の位置を認知させることが可能であることを特徴とする情報読取装置。
【請求項７】
請求項４又は５に記載の情報読取装置において、
前記リーダ部は、前記固定部及び前記ガラス面を介して前記識別情報を読み取ることを特徴とする情報読取装置。
【請求項８】
請求項４又は５に記載の情報読取装置において、
前記固定部は、透光性を有する材料からなり、
前記発光体は、前記ガラス面に対して双方の側から前記リーダ部の位置を認知させることが可能であることを特徴とする情報読取装置。
【請求項９】
請求項８に記載の情報読取装置において、
前記リーダ部は、前記ガラス面に対して双方の側から前記識別情報を読み取ることが可能であることを特徴とする情報読取装置。
【請求項１０】
請求項９に記載の情報読取装置において、
前記リーダ部は、
前記固定部及び前記ガラス面を介して前記識別情報を読み取る第１リーダと、
前記固定部が固定される前記ガラス面側から前記識別情報を読み取る第２リーダと、
を備えることを特徴とする情報読取装置。
【請求項１１】
請求項１０に記載の情報読取装置において、
前記送信部は、前記識別情報が前記第１リーダから読み取られた場合と、前記識別情報が前記第２リーダから読み取られた場合と、で区別した情報を送信することを特徴とする情報読取装置。
【請求項１２】
請求項１乃至１１のいずれか一項に記載の情報読取装置において、
前記発光体は、前記リーダ部を取り囲んで複数具備されていることを特徴とする情報読取装置。
【請求項１３】
請求項１乃至１２のいずれか一項に記載の情報読取装置において、
前記識別情報が前記リーダ部により読み取られた場合に、所定の音声を出力する音声出力部を備えることを特徴とする情報読取装置。
【発明の詳細な説明】
【技術分野】
【０００１】
本発明は、携帯電話機等の情報端末装置に対して、ポスター等の掲示媒体に掲示された掲示内容に関する関連情報を提供する技術に関し、特に、当該情報端末装置に固有の識別情報を記憶した記憶媒体から当該識別情報を読み取るリーダを備える情報読取装置に関する。
【背景技術】
【０００２】
近年、携帯電話機の普及に伴い、商品やサービスの情報を電子メールにて配信するといった情報配信システムが普及している。特に最近では、商品やサービスの情報の中でも利用者が特に興味を持った情報を選別して配信する種々の工夫がなされている。
【０００３】
例えば、特許文献１には、この種の情報配信システムとして、情報管理者は、予め利用者にＩＣ（Integrated Circuit）タグを配布しておき、商品やサービスのポスター等の広告媒体の背後にＩＣタグに記録されたＩＤ（IDentifier）を読み取るＩＣタグリーダを備えた情報提供装置を屋外や店舗内等に設置するという構成が開示されている。このような構成によれば、利用者は興味を持った商品やサービスのポスター等に自己が所有するＩＣタグを翳すことにより、背後に設置されたＩＣタグリーダによってＩＣタグのＩＤが読み取られ、ポスター等に告知された広告の詳細な内容が管理者の管理装置から利用者の携帯電話機にメールを通じて配信されることになる。
【０００４】
【特許文献１】特開２００３−３０８２６７号公報
【発明の開示】
【発明が解決しようとする課題】
【０００５】
上述したようなＩＣタグリーダを搭載してポスター等の詳細な情報を携帯電話機に伝える情報提供装置、言わば電波ポスターユニットの普及が見込まれているが、この場合ユニット内部に固定されたＩＣタグリーダが、ユニットの何処に固定設置されているか、ＩＣタグリーダの設置位置を利用者が認知できるように構成しなければならない。
【０００６】
一方、ＩＣタグリーダとポスターとが一体形成されるようなユニットでは、これを設置する場所が制約される。また、既存の店舗、施設等に貼ってあるポスター、例えば、店舗におけるガラス面に貼ってあるポスターに対して、このようなユニットを有効に活用することは困難である。
【０００７】
そこで本発明は、このような問題等に鑑みてなされたものであり、既存の店舗、施設等のガラス面等に貼ってあるポスター等の掲示媒体に対しても、場所等の制約を受けることなく有効に活用することが可能な情報読取装置を提供することを課題する。
【課題を解決するための手段】
【０００８】
上記課題を解決するために、請求項１に記載の発明は、掲示媒体に掲示された掲示内容に関する関連情報を情報端末装置に対して提供する情報提供装置と通信可能な情報読取装置であって、前記掲示媒体近傍の所定面に着脱自在に固定可能な固定部と、前記情報端末装置に固有の識別情報を記憶した記憶媒体から当該識別情報を読み取るリーダ部と、前記所定面に対して少なくとも一方の側から前記リーダ部の位置を認知させるための発光体と、前記リーダ部により読み取られた前記識別情報を前記情報管理装置に送信する送信部と、を備えることを特徴とする。
【０００９】
請求項２に記載の発明は、掲示媒体に掲示された掲示内容に関する関連情報を記憶するメモリと、前記掲示媒体近傍の所定面に着脱自在に固定可能な固定部と、固有の識別情報を記憶した情報端末装置から当該識別情報を読み取るリーダ部と、前記所定面に対して少なくとも一方の側から前記リーダ部の位置を認知させるための発光体と、前記リーダ部により前記識別情報が読み取られた場合に、前記メモリに記憶された関連情報を前記情報端末装置に無線送信する送信部と、を備えることを特徴とする。
【００１０】
請求項３に記載の発明は、請求項１又は２に記載の情報読取装置において、前記固定部は、接着、粘着、圧着、又は吸着等の手段により前記所定面に固定されることを特徴とする。
【００１１】
請求項４に記載の発明は、請求項１乃至３のいずれか一項に記載の情報読取装置において、前記固定部は、前記所定面であるガラス面に固定されることを特徴とする。
【００１２】
請求項５に記載の発明は、請求項４に記載の情報読取装置において、前記固定部は、前記掲示媒体が貼り付けられるガラス面の当該掲示媒体近傍の所定位置に固定されることを特徴とする。
【００１３】
請求項６に記載の発明は、請求項４又は５に記載の情報読取装置において、前記固定部は、透光性を有する材料からなり、前記発光体は、前記固定部及び前記ガラス面を介して前記リーダ部の位置を認知させることが可能であることを特徴とする。
【００１４】
請求項７に記載の発明は、請求項４又は５に記載の情報読取装置において、前記リーダ部は、前記固定部及び前記ガラス面を介して前記識別情報を読み取ることを特徴とする。
【００１５】
請求項８に記載の発明は、請求項４又は５に記載の情報読取装置において、前記固定部は、透光性を有する材料からなり、前記発光体は、前記ガラス面に対して双方の側から前記リーダ部の位置を認知させることが可能であることを特徴とする。
【００１６】
請求項９に記載の発明は、請求項８に記載の情報読取装置において、前記リーダ部は、前記ガラス面に対して双方の側から前記識別情報を読み取ることが可能であることを特徴とする。
【００１７】
請求項１０に記載の発明は、請求項９に記載の情報読取装置において、前記リーダ部は、前記固定部及び前記ガラス面を介して前記識別情報を読み取る第１リーダと、前記固定部が固定される前記ガラス面側から前記識別情報を読み取る第２リーダと、を備えることを特徴とする。
【００１８】
請求項１１に記載の発明は、請求項１０に記載の情報読取装置において、前記送信部は、前記識別情報が前記第１リーダから読み取られた場合と、前記識別情報が前記第２リーダから読み取られた場合と、で区別した情報を送信することを特徴とする。
【００１９】
請求項１２に記載の発明は、請求項１乃至１１のいずれか一項に記載の情報読取装置において、前記発光体は、前記リーダ部を取り囲んで複数具備されていることを特徴とする。
【００２０】
請求項１３に記載の発明は、請求項１乃至１２のいずれか一項に記載の情報読取装置において、前記識別情報が前記リーダ部により読み取られた場合に、所定の音声を出力する音声出力部を備えることを特徴とする。
【発明の効果】
【００２１】
本発明によれば、既存の店舗、施設等のガラス面等に貼ってあるポスター等の掲示媒体に対しても、場所等の制約を受けることなく情報読取装置を有効に活用することができる。
【発明を実施するための最良の形態】
【００２２】
以下、本発明を実施するための最良の実施形態について、図面に基づいて説明する。
【００２３】
（第１の実施形態）
先ず、図１を参照して、本発明の第１の実施形態に係る情報読取装置の設置位置等について説明する。
【００２４】
図１（Ａ）は、ポスターが貼り付けられている透明なガラスの正面図を示し、図１（Ｂ）は、当該ガラスの側面図を示す。このような透明なガラスは、例えば、コンビニエンスストア、スーパー、喫茶店等の店舗の出入口ドア、窓、壁等、或いは、ショーウインドウ等に使用される。
【００２５】
通常、掲示媒体としてのポスターＰは、盗難防止のため、図１（Ｂ）に示すように、店舗内側のガラス面にテープ等の接着手段により貼り付けられ、店舗外側から当該ガラス面を介して見られるようになっている。
【００２６】
そして、情報読取装置Ｓ１は、図１（Ａ）に示すように、ポスターＰの近傍（この例では、ポスター下端から下方向に数十ｃｍの位置）のガラス面（所定面の一例）に着脱自在に固定（ポスターＰと同様、店舗内側に固定）設置され、店舗外側から当該ガラス面を介して見られるようになっている。
【００２７】
なお、図１（Ａ）及び（Ｂ）に示す、記憶媒体としてのＩＣタグＴ（例えば、ＲＦＩＤ（Radio Frequency Identification）等の技術に基づく）は、図示しない情報端末装置としての携帯電話機に固有の識別情報を記憶する図示しないＩＣ部及び無線電波を送受信するアンテナ部を具備し、ユーザが当該ＩＣタグＴを情報読取装置Ｓ１に翳すことにより、上記識別情報が情報読取装置Ｓ１により読み取られるようになっている。
【００２８】
次に、図２を参照して、情報読取装置Ｓ１の構成及び機能について説明する。
【００２９】
図２（Ａ）は、情報読取装置Ｓ１の正面図（店舗外側から見た図）を示し、図２（Ｂ）は、情報読取装置Ｓ１の側面図を示し、図２（Ｃ）は、情報読取装置Ｓ１のＡ−Ａ’断面図を示す。
【００３０】
情報読取装置Ｓ１は、図２（Ｃ）に示すように、ポスターＰ近傍のガラス面に着脱自在に固定可能な固定部としての粘着シート１と、ＩＣタグＴから識別情報を読み取るリーダ部２と、ガラス面に対して一方の側である店舗外側からリーダ部２の位置を認知させるための発光体としてのＬＥＤ（発光ダイオード）３と、リーダ部２により読み取られた識別情報を情報管理装置に送信する図示しない送信部と、識別情報がリーダ部２により読み取られた場合に所定の音声を出力する図示しないスピーカ等からなる音声出力部と、所定のプログラムを実行する図示しない図示しないＣＰＵ（Central Processing Unit），ＲＡＭ（Random Access Memory），ＲＯＭ（Read Only Memory）、及びその周辺回路を有するコントローラと、ＬＥＤ３、送信部、音声出力部、及びコントローラ等に対して電源供給する電源部（例えば、電池を有する）と、を備えて構成されている。
【００３１】
上記コントローラ及び電源部は、コントローラ・電源基板１０上に搭載（設置）されている。また、ＬＥＤ３は、図２（Ａ）に示すように、リーダ部２を中心とした同心円状に取り囲んで複数具備され、発光基板１１上に搭載されている。もちろん、これに限られるものでなく、例えば星型を形成するように具備するなど、ＬＥＤ３は種々のデザイン構成で配置させることができる。
【００３２】
また、リーダ部２は、図示しないリーダコントローラ及び無線電波を送受信するアンテナ部を備えており、ＩＣタグＴが所定距離内に近づくと、無線電波によりＩＣタグＴとの間で通信を行い、上記識別情報を読み取るようになっている。
【００３３】
そして、図２（Ｃ）に示すように、リーダ部２、コントローラ・電源基板１０、及び発光基板１１は、基板固定部材１２により筐体（ケース）１３内に固定されている。この筐体１３には、円形状の蓋部１４が嵌め合わされるようになっている。また、当該蓋部１４の中央には、粘着シート１の突起部１ａと係合し粘着シート１に蓋部１４を固定するための溝部１４ａが設けられている。
【００３４】
粘着シート１及び蓋部１４は、樹脂等の透光性のある材料からなり、これにより、ＬＥＤ３から発せられた光は、ガラス面、粘着シート１、及び蓋部１４を介して視認でき、リーダ部２の位置を認知させることが可能になっている。なお、ＬＥＤ３は、例えば、図示しない電源スイッチＯＮにより発光（点灯）することになるが、コントローラの制御により任意のタイミングで点滅させるようにしてもよい。
【００３５】
なお、図２の例では、ガラス面に着脱自在に固定可能な固定部として粘着シート１を例にとったが、これに限定されるものではなく、接着、粘着、圧着、又は吸着等の手段（例えば、吸盤等でも良い）により着脱自在に固定可能なものであれば、如何なるものでも適用可能である。
【００３６】
そして、ユーザが、例えば店舗外側から情報読取装置Ｓ１におけるリーダ部２に対してＩＣタグＴを翳すと、リーダ部２は、ガラス面、粘着シート１、及び蓋部１４を介して当該ＩＣタグＴから識別情報を読み取る。そして、リーダ部２によって識別情報が読み取られた場合に、コントローラは、所定の音声を、スピーカ等を有する音声出力部から出力させる。
【００３７】
こうして、読み取られた識別情報は、コントローラの制御の下、送信部及び通信網を介して情報管理装置（情報管理サーバ）に送信される。そして、ポスターＰに掲示された掲示内容に関する関連情報は、上記情報管理装置により、上記識別情報に対応付けて情報管理装置に登録済みのユーザの携帯電話機のメールアドレス宛てに送信される。携帯電話機が情報管理装置から送信されてきた関連情報を受信すると、携帯電話機の表示部に当該関連情報が表示され、ユーザがポスターＰの広告内容（例えば、クーポン券を含む）や案内内容等の掲示内容に関する関連情報を確認することができる。
【００３８】
なお、情報読取装置Ｓ１に備えた送信部は、有線であっても無線であってもよいが、ネットワーク接続ケーブルを必要とせず、無線によって通信網を介して情報管理装置と接続可能であることがより好ましい。これによれば、場所等の制約を殆ど受けることなく、所望の位置に取り付けることができるからである。
【００３９】
また、上述した「掲示内容に関する関連情報」とは、例えば、掲示している掲示媒体がポスター等の広告媒体である場合には、当該広告にかかる商品の販売期間、販売会社、製造業者、内容量、成分、効能、価格、クーポン券（割引券等）等が該当し、掲示している掲示媒体が案内掲示やお知らせ等の情報掲示媒体である場合には、情報源や、掲示期間、案内にかかる地図や連絡先等が該当する。
【００４０】
以上説明したように、上記第１の実施形態によれば、既存の店舗、施設等のガラス面等に貼ってあるポスター等の掲示媒体近傍のガラス面に対して情報読取装置Ｓ１を取り外し可能に固定できるので、既存の店舗、施設等のガラス面等に貼ってあるポスター等の掲示媒体に対しても、場所等の制約を受けることなく情報読取装置Ｓ１を有効に活用することができる。
【００４１】
（第２の実施形態）
次に、本発明の第２の実施形態に係る情報読取装置について説明する。なお、第２の実施形態に係る情報読取装置において、第１の実施形態に係る情報読取装置と同様の構成部分については、同一の符号を付し、重複する説明を極力省略する。
【００４２】
第２の実施形態に係る情報読取装置Ｓ２についても、第１の実施形態に係る情報読取装置Ｓ１と同様、図１（Ａ）に示すように、ポスターＰの近傍のガラス面に着脱自在に固定（ポスターＰと同様、店舗内側に固定）設置され、店舗外側から当該ガラス面を介して見られるようになっている。
【００４３】
第２の実施形態に係る情報読取装置Ｓ２は、ガラス面に対して双方の側（ここでは、店舗内側及び外側）から識別情報を読み取ることが可能になっている。
【００４４】
図３（Ａ）は、情報読取装置Ｓ２の正面図（店舗外側から見た図）を示し、図３（Ｂ）は、情報読取装置Ｓ２の側面図を示し、図３（Ｃ）は、情報読取装置Ｓ２のＡ−Ａ’断面図を示す。なお、図３（Ａ）及び（Ｂ）に示すように、情報読取装置Ｓ２の外観は、情報読取装置Ｓ１と同様である。
【００４５】
情報読取装置Ｓ２は、図３（Ｃ）に示すように、ポスターＰ近傍のガラス面に着脱自在に固定可能な固定部としての粘着シート１と、ＩＣタグＴから識別情報を読み取るリーダ部５と、ガラス面に対して双方の側（ここでは、店舗内側及び外側）からリーダ部５の位置を認知させるための発光体としてのＬＥＤ（発光ダイオード）６と、リーダ部５により読み取られた識別情報を情報管理装置に送信する図示しない送信部と、識別情報がリーダ部５により読み取られた場合に所定の音声を出力する図示しないスピーカ等からなる音声出力部と、所定のプログラムを実行する図示しないＣＰＵ，ＲＡＭ，ＲＯＭ、及びその周辺回路を有するコントローラと、ＬＥＤ６、送信部、音声出力部、及びコントローラ等に対して電源供給する電源部（例えば、電池を有する）と、を備えて構成されている。
【００４６】
リーダ部５は、図示しないリーダコントローラ及びアンテナ部を備える第１リーダとしての外側用リーダ５ａ及び第２リーダとしての内側用リーダ５ｂを有している。
【００４７】
外側用リーダ５ａは、ＩＣタグＴが店舗外側からガラス越しに所定距離内に近づくと、無線電波によりＩＣタグＴとの間で通信を行い、ガラス面、粘着シート１及び蓋部１４を介して上記識別情報を読み取るようになっている。一方、内側用リーダ５ｂは、ＩＣタグＴが店舗内側から所定距離内に近づくと、無線電波によりＩＣタグＴとの間で通信を行い、粘着シート１が固定されるガラス面側から蓋部１５を介して上記識別情報を読み取るようになっている。なお、蓋部１５は、蓋部１４と同様、円形状で、樹脂等の透光性のある材料からなり、筐体１３に嵌め合わされるようになっている。
【００４８】
また、情報読取装置Ｓ２は、ＬＥＤ６から発せられた光を、蓋部１４方向及び蓋部１５方向（つまり、店舗外側及び内側方向）に導くための光ガイド部７を備えている。こうして、ＬＥＤ６から発せられた光は、ガラス面、粘着シート１、及び蓋部１４を介して視認でき、外側用リーダ５ａの位置を店舗外側から認知させることが可能になる。また、ＬＥＤ６から発せられた光は、蓋部１５を介して視認でき、内側用リーダ５ｂの位置を店舗内側から認知させることが可能になる。なお、ＬＥＤ６は、リーダ部５（外側用リーダ５ａ及び内側用リーダ５ｂ）を中心とした同心円状に取り囲んで複数具備され、発光基板１６上に搭載されている。また、外側用リーダ５ａ、内側用リーダ５ｂ、及びコントローラ・電源基板１０等は、基板固定部材１７により筐体１３内に固定される。
【００４９】
そして、上記のように読み取られた識別情報は、第１の実施形態と同様、コントローラの制御の下、送信部及び通信網を介して情報管理装置に送信される（これ以降は、第１の実施形態と同様）。
【００５０】
以上説明したように、上記第２の実施形態によれば、ユーザは、店舗外側及び内側の双方からＩＣタグＴを翳して関連情報を取得できるので、上記第１の実施形態における効果に加えて、より高い利便性を有する。
【００５１】
なお、別の例として、コントローラは、上記識別情報が外側用リーダ５ａから読み取られた場合と、上記識別情報が内側用リーダ５ｂから読み取られた場合と、を区別した情報を情報管理装置に送信するように構成しても良い。
【００５２】
例えば、上記識別情報が外側用リーダ５ａから読み取られた場合、コントローラは、外側用リーダ５ａから読み取られたことを認識し、当該識別情報と共に店舗外側であることを示す情報を送信部及び通信網を介して情報管理装置に送信させるように制御する。これにより、例えば、上記情報管理装置は、店舗外にいるユーザ（顧客）を店舗内に誘導するための情報を上記関連情報として、当該ユーザの携帯電話機のメールアドレス宛てに送信する。一方、上記識別情報が内側用リーダ５ｂから読み取られた場合、コントローラは、内側用リーダ５ｂから読み取られたことを認識し、当該識別情報と共に店舗内側であることを示す情報を送信部及び通信網を介して情報管理装置に送信させるように制御する。これにより、例えば、上記情報管理装置は、店舗内にいるユーザ（顧客）に対して来店ポイントを登録し、当該来店ポイントを与える旨の情報を上記関連情報として、当該ユーザの携帯電話機のメールアドレス宛てに送信する。
【００５３】
このように構成すれば、店舗外側からＩＣタグＴを翳すのと、店舗内側からＩＣタグＴを翳すのとで、ユーザに提供する関連情報を異ならせることができるので、店舗側は、より効果的な販促活動を行うことができる。
【００５４】
なお、上述した識別情報は、各ＩＣタグＴを一意に識別することができるものであればよく、例えば、工場出荷時に予め割り振られる製造番号等を固有の識別情報として利用することも可能である。このように、ＩＣタグＴは、無電池のため応用事例にあわせた柔軟な加工や小型化・薄型化が可能であり、シール状に加工したＩＣタグＴを携帯電話機などの携帯物の表面や内面に貼り付けたり、ストラップなどの形状に加工したＩＣタグＴを携帯電話機などの携帯物に付属させることも可能である。
【００５５】
また、上記実施形態において、情報端末装置として携帯電話機を例にとって説明したが、これに限定されるものではなく、例えば、ＰＤＡ、ＰＨＳ、携帯型ＰＣ等であっても構わない。
【００５６】
また、上記実施形態においては、上記関連情報が、情報管理装置から携帯電話機に送信されるように構成したが、別の例として、上記関連情報が、情報読取装置Ｓ１又はＳ２からＩＣタグＴを介して携帯電話機に提供されるように構成しても良い。
【００５７】
この場合、情報読取装置Ｓ１又はＳ２は、上述した構成要素に加えて、ポスターＰに掲示された掲示内容に関する関連情報を記憶するメモリ（例えば、不揮発性メモリ）を備える構成となる。また、ＩＣタグＴと携帯電話機とは、電気的に接続（ＩＣタグＴを携帯電話機内に搭載しても良い）される。
【００５８】
そして、リーダ部２（或いは、外側用リーダ５ａ又は内側用リーダ５ｂ）により上記識別情報が読み取られた場合に、コントローラは、上記メモリに記憶された関連情報をＩＣタグＴを介して携帯電話機に無線送信（例えば、ＩＣタグＴとリーダ部２（或いは、外側用リーダ５ａ又は内側用リーダ５ｂ）との無線電波による送信）するように制御する。
【００５９】
このように構成すれば、上記実施形態における効果に加えて、情報管理装置を介することなくユーザに対して上記関連情報を迅速にユーザに対して提供することができる。なお、この場合も、上記識別情報が外側用リーダ５ａから読み取られた場合と、上記識別情報が内側用リーダ５ｂから読み取られた場合と、を区別した関連情報（メモリに記憶される情報を区別しておく）を、情報読取装置Ｓ２から携帯電話機に無線送信するように構成しても良い。
【００６０】
なお、上記実施形態においては、より有効な例として、情報読取装置Ｓ１又はＳ２を店舗のガラス面に着脱可能に固定する場合について説明したが、ガラス面の他、透明なアクリル樹脂面、或いは、透明でなくとも滑らかな面（例えば掲示板）等の所定面に対して情報読取装置Ｓ１又はＳ２を着脱自在に固定して利用するようにしても構わない。
【図面の簡単な説明】
【００６１】
【図１】（Ａ）は、ポスターが貼り付けられている透明なガラスの正面図を示し、（Ｂ）は、当該ガラスの側面図を示す図である。
【図２】（Ａ）は、情報読取装置Ｓ１の正面図（店舗外側から見た図）を示し、（Ｂ）は、情報読取装置Ｓ１の側面図を示し、（Ｃ）は、情報読取装置Ｓ１のＡ’−Ａ断面図を示す図である。
【図３】（Ａ）は、情報読取装置Ｓ２の正面図（店舗外側から見た図）を示し、（Ｂ）は、情報読取装置Ｓ２の側面図を示し、（Ｃ）は、情報読取装置Ｓ２のＡ’−Ａ断面図を示す図である。
【符号の説明】
【００６２】
１  粘着シート
２  リーダ部
３  ＬＥＤ
５ａ  外側用リーダ
５ｂ  内側用リーダ
７  光ガイド部
１０  コントローラ・電源基板
１１，１６  発光基板
１２，１７  基板固定部材
１３  筐体
１４，１５  蓋部
Ｓ１，Ｓ２  情報読取装置
【図１】
2007240636.tif 000003
【図２】
2007240636.tif 000004
【図３】
2007240636.tif 000005